(57)【要約】【課題】共通するネットワーク識別情報を用いた通信を行う通信装置を、所望の他の通信装置と通信可能に接続することを容易にすること。【解決手段】他の通信装置のネットワーク識別情報を取得し、他の通信装置のネットワーク識別情報と重複しないネットワーク識別情報を発行し、装着部に装着された記録媒体に対し、他の通信装置によって当該記録媒体からネットワーク識別情報が読み出されるために、発行ステップにおいて発行されたネットワーク識別情報を書き込み、発行されたネットワーク識別情報と共通するネットワーク識別情報を有する他の通信装置とデータの送受信を行う。【選択図】図１
2010213088.tif 000002
【特許請求の範囲】
【請求項１】
共通するネットワーク識別情報を有する通信装置同士で行われる通信によってデータの送受信を行う第一通信装置及び第二通信装置を含む通信システムであって、
前記第一通信装置は、
共通する前記ネットワーク識別情報を有する他の通信装置とデータの送受信を行う第一送受信部と、
着脱可能な記録媒体を装着する第一装着部と、
他の通信装置のネットワーク識別情報を取得し、前記他の通信装置のネットワーク識別情報と重複しないネットワーク識別情報を発行する発行部と、
前記第一装着部に装着された前記記録媒体に、前記発行部によって発行された前記ネットワーク識別情報を書き込む書込部と、
を備え、
前記通信装置は、
共通する前記ネットワーク識別情報を有する他の通信装置とデータの送受信を行う第二送受信部と、
着脱可能な記録媒体を装着する第二装着部と、
前記第二装着部に装着された前記記録媒体から前記ネットワーク識別情報を読み出す読出部と
を備え、
前記第一送受信部は前記発行部によって発行された前記ネットワーク識別情報を用い、前記第二送受信部は前記読出部によって読み出された前記ネットワーク識別情報を用いることによって、互いにデータの送受信を行う
ことを特徴とする通信システム。
【請求項２】
前記送受信部には予め前記ネットワーク識別情報が設定されており、
前記予め設定されているネットワーク識別情報を記憶する記憶部をさらに備え、
前記送受信部は、前記発行部によって発行された前記ネットワーク識別情報を用いたデータの送受信が終了した後には、前記記憶部に記憶されるネットワーク識別情報を用いてデータの送受信を行うことを特徴とする請求項１に記載の通信システム。
【請求項３】
共通するネットワーク識別情報を有する通信装置同士で行われる通信によって他の通信装置とデータの送受信を行う通信装置であって、
着脱可能な記録媒体を装着する装着部と、
他の通信装置のネットワーク識別情報を取得し、他の通信装置のネットワーク識別情報と重複しないネットワーク識別情報を発行する発行部と、
前記装着部に装着された前記記録媒体に対し、他の通信装置によって当該記録媒体から前記ネットワーク識別情報が読み出されるために、前記発行部によって発行された前記ネットワーク識別情報を書き込む書込部と、
前記発行部によって発行された前記ネットワーク識別情報と共通するネットワーク識別情報を有する他の通信装置とデータの送受信を行う送受信部と、
を備えることを特徴とする通信装置。
【請求項４】
共通するネットワーク識別情報を有する通信装置同士で行われる通信によって他の通信装置とデータの送受信を行い、着脱可能な記録媒体を装着する装着部を備える通信装置が行う通信方法であって、
前記通信装置が、他の通信装置のネットワーク識別情報を取得し、他の通信装置のネットワーク識別情報と重複しないネットワーク識別情報を発行する発行ステップと、
前記通信装置が、前記装着部に装着された前記記録媒体に対し、前記第他の信装置によって当該記録媒体から前記ネットワーク識別情報が読み出されるために、前記発行ステップにおいて発行された前記ネットワーク識別情報を書き込む書込ステップと、
前記通信装置が、前記発行ステップにおいて発行された前記ネットワーク識別情報と共通するネットワーク識別情報を有する他の通信装置とデータの送受信を行う送受信ステップと、
を有することを特徴とする通信方法。
【発明の詳細な説明】
【技術分野】
【０００１】
本発明は、共通するネットワーク識別情報を用いた通信を行う通信システム、通信装置、及び通信方法に関する。
【背景技術】
【０００２】
通信装置同士を無線通信可能に接続する作業は、ネットワークの設定等の煩雑な操作が必要となり、初心者ユーザーにとっては困難を伴い、操作に慣れたユーザーであっても時間を要してしまう。このような無線通信の接続作業を簡易なものとするため、様々な技術が提案されている。
【０００３】
例えば、専用の無線ＬＡＮ（Local Area Network）カードのメモリー内に、無線通信可能にするために必要な設定情報（接続ネットワーク名、使用チャンネル）を予め格納しておく技術が提案されている（特許文献１参照）。この技術では、コンピューターに無線ＬＡＮカードを挿入した際に、コンピューターが無線ＬＡＮカードのメモリー内に格納されている設定情報を読み出して無線通信可能にするための設定を行う。
【０００４】
また、アドホック接続（AdHoc Mode）という通信方式が無線通信方式の一つとして提案されている。アドホック接続では、ＳＳＩＤ（Service Set Identifier）と呼ばれる無線ネットワーク名が共通する２台の通信装置が無線通信可能に接続される。そして、アドホック接続により無線ネットワークを確立してから、ＴＣＰ／ＩＰなどのプロトコルによって通信が行われることが一般的である。アドホック接続では、ユーザーは２台の通信装置のＳＳＩＤを同じに設定することによって容易に無線通信の接続を行うことができる。
【先行技術文献】
【特許文献】
【０００５】
【特許文献１】特開２００６−２２７７９７号公報
【発明の概要】
【発明が解決しようとする課題】
【０００６】
しかしながら、アドホック接続では、ある通信装置と無線通信可能な範囲に同じＳＳＩＤを持った複数の他の通信装置が存在する場合、ある通信装置は他のどの通信装置と無線通信が接続されるかわからなかった。そのため、このように同じＳＳＩＤを持った通信装置が複数存在する場合には、ユーザーは所望の通信装置同士を無線通信可能に接続することができないという問題があった。
【０００７】
上記事情に鑑み、本発明は、共通するネットワーク識別情報を用いた通信を行う通信装置を、所望の他の通信装置と通信可能に接続することが容易となる通信システム、通信装置、通信方法を提供することを目的としている。
【課題を解決するための手段】
【０００８】
本発明の一態様は、共通するネットワーク識別情報を有する通信装置同士で行われる通信によってデータの送受信を行う第一通信装置及び第二通信装置を含む通信システムであって、前記第一通信装置は、共通する前記ネットワーク識別情報を有する他の通信装置とデータの送受信を行う第一送受信部と、着脱可能な記録媒体を装着する第一装着部と、他の通信装置のネットワーク識別情報を取得し、前記他の通信装置のネットワーク識別情報と重複しないネットワーク識別情報を発行する発行部と、前記第一装着部に装着された前記記録媒体に、前記発行部によって発行された前記ネットワーク識別情報を書き込む書込部と、を備え、前記通信装置は、共通する前記ネットワーク識別情報を有する他の通信装置とデータの送受信を行う第二送受信部と、着脱可能な記録媒体を装着する第二装着部と、前記第二装着部に装着された前記記録媒体から前記ネットワーク識別情報を読み出す読出部とを備え、前記第一送受信部は前記発行部によって発行された前記ネットワーク識別情報を用い、前記第二送受信部は前記読出部によって読み出された前記ネットワーク識別情報を用いることによって、互いにデータの送受信を行うことを特徴とする。
【０００９】
本発明の一態様は、上記の通信システムであって、前記送受信部には予め前記ネットワーク識別情報が設定されており、前記予め設定されているネットワーク識別情報を記憶する記憶部をさらに備え、前記送受信部は、前記発行部によって発行された前記ネットワーク識別情報を用いたデータの送受信が終了した後には、前記記憶部に記憶されるネットワーク識別情報を用いてデータの送受信を行うことを特徴とする。
【００１０】
本発明の一態様は、共通するネットワーク識別情報を有する通信装置同士で行われる通信によって他の通信装置とデータの送受信を行う通信装置であって、着脱可能な記録媒体を装着する装着部と、他の通信装置のネットワーク識別情報を取得し、他の通信装置のネットワーク識別情報と重複しないネットワーク識別情報を発行する発行部と、前記装着部に装着された前記記録媒体に対し、他の通信装置によって当該記録媒体から前記ネットワーク識別情報が読み出されるために、前記発行部によって発行された前記ネットワーク識別情報を書き込む書込部と、前記発行部によって発行された前記ネットワーク識別情報と共通するネットワーク識別情報を有する他の通信装置とデータの送受信を行う送受信部と、を備えることを特徴とする。
【００１１】
本発明の一態様は、共通するネットワーク識別情報を有する通信装置同士で行われる通信によって他の通信装置とデータの送受信を行い、着脱可能な記録媒体を装着する装着部を備える通信装置が行う通信方法であって、前記通信装置が、他の通信装置のネットワーク識別情報を取得し、他の通信装置のネットワーク識別情報と重複しないネットワーク識別情報を発行する発行ステップと、前記通信装置が、前記装着部に装着された前記記録媒体に対し、前記第他の信装置によって当該記録媒体から前記ネットワーク識別情報が読み出されるために、前記発行ステップにおいて発行された前記ネットワーク識別情報を書き込む書込ステップと、前記通信装置が、前記発行ステップにおいて発行された前記ネットワーク識別情報と共通するネットワーク識別情報を有する他の通信装置とデータの送受信を行う送受信ステップと、を有することを特徴とする。
【００１２】
本発明によれば、他の通信装置と重複しないネットワーク識別情報が発行され、記録媒体を介して他の所望の通信装置との間でこのネットワーク識別情報が共有される。そのため、共通するネットワーク識別情報を用いた通信を行う通信装置を、所望の他の通信装置と通信可能に接続することが容易となる。
【図面の簡単な説明】
【００１３】
【図１】通信システムのシステム構成を表す図である。
【図２】プロジェクターの機能構成を表す概略ブロック図である。
【図３】ＵＳＢメモリーの機能構成を表す概略ブロック図である。
【図４】コンピューターの機能構成を表す概略ブロック図である。
【図５】通信システムにおいてＳＳＩＤを生成する装置の動作を表すフローチャートである。
【発明を実施するための形態】
【００１４】
図１は、通信システム１００のシステム構成を表す図である。通信システム１００は、プロジェクター１（１ａ、１ｂ）、ＵＳＢメモリー２（２ａ、２ｂ）、コンピューター３（３ａ、３ｂ）を含む。プロジェクター１ａは、アドホック接続によって共通のＳＳＩＤを有するコンピューター３ａと無線通信する。また、プロジェクター１ｂは、アドホック接続によって共通のＳＳＩＤを有するコンピューター３ｂと無線通信する。このとき、プロジェクター１ａ及び１ｂは、それぞれＵＳＢメモリー２ａ、２ｂを介して、コンピューター３ａ、３ｂとＳＳＩＤを共通に設定する。以下、通信システム１００に含まれる各装置と、通信システム１００においてプロジェクター１とコンピューター３とでＳＳＩＤが共通に設定される動作についてそれぞれ説明する。
【００１５】
図２は、プロジェクター１の機能構成を表す概略ブロック図である。プロジェクター１は、投影部１１、記憶部１２、設定部１３，無線通信部１４、装着部１５を備える。
投影部１１は、例えば液晶パネルに対し高圧水銀灯などの光源ランプから発した光を透過させることによって、コンピューター３によって供給された画像をスクリーンに投影する。
【００１６】
記憶部１２は、ハードディスクや半導体メモリーを用いて構成され、無線通信部１４が無線通信を行うに当たって必要となる設定情報を記憶する。設定情報は、ＳＳＩＤ（ネットワーク識別情報）や、プロジェクター１のプロジェクター名や、ＭＡＣアドレス等の情報を含む。なお、記憶部１２は、予め所定のＳＳＩＤを記憶している。
設定部１３は、ＣＰＵ（Central Processing Unit）や専用ハードウェアを用いて構成され、ネットワーク設定用の所定のＵＳＢメモリー２が装着部１５に接続されると、プロジェクター１が他の通信装置（コンピューター３）とアドホック接続の無線通信を行う際に使用するＳＳＩＤを発行し、設定情報を記憶部１２及びＵＳＢメモリー２に書き込む。
【００１７】
無線通信部１４は、記憶部１２に記憶される設定情報に基づいて無線通信を行う。例えば、無線通信部１４は、記憶部１２に記憶されるＳＳＩＤを読み出し、同じＳＳＩＤを有する他の通信装置とアドホック接続によって無線通信する。
装着部１５は、ＵＳＢコネクターを着脱可能に接続しＵＳＢメモリー２とデータの通信を行う。
【００１８】
図３は、ＵＳＢメモリー２の機能構成を表す概略ブロック図である。ＵＳＢメモリー２は、被装着部２１、読書部２２、記憶部２３を備える。
被装着部２１は、ＵＳＢコネクター部分であり、プロジェクター１の装着部１５やコンピューター３の装着部３１に差し込まれデータの通信を行う。
【００１９】
読書部２２は、ＣＰＵや専用ハードウェア等を用いて構成され、記憶部２３に対してデータの読み書きを行う。例えば、読書部２２は、ＵＳＢメモリー２がプロジェクター１に接続された場合、プロジェクター１によって発行されたＳＳＩＤを装着部１５及び被装着部２１を介して受信し、記憶部２３に書き込む。また、読書部２２は、ＵＳＢメモリー２がコンピューター３に接続された場合、記憶部２３からＳＳＩＤを読み出して被装着部２１及び装着部３１を介してＳＳＩＤをコンピューター３に送信する。
【００２０】
記憶部２３は、半導体メモリーを用いて構成され、システム領域２３１、設定情報格納領域２３２、データ格納領域２３３を有する。システム領域２３１は、ネットワーク設定用の所定のＵＳＢメモリーであることを示すデータを記憶する。例えば、システム領域２３１は、「ｓｙｓｔｅｍ」フォルダを記憶し、その下位に「ＧＵＩＤ」フォルダを記憶する。設定情報格納領域２３２は、ＳＳＩＤ等の設定情報を記憶する。データ格納領域２３３は、その他の各種データを記憶する。
【００２１】
図４は、コンピューター３の機能構成を表す概略ブロック図である。コンピューター３は、装着部３１、設定部３２、記憶部３３、無線通信部３４、画像信号生成部３５を備える。
装着部３１は、ＵＳＢコネクターを着脱可能に接続しＵＳＢメモリー２とデータの通信を行う。
【００２２】
設定部３２は、ＣＰＵや専用ハードウェアを用いて構成され、ネットワーク設定用の所定のＵＳＢメモリー２が装着部１５に接続されると、ＵＳＢメモリー２からＳＳＩＤ等の設定情報を読み出し、記憶部３３に書き込む。
記憶部３３は、ハードディスクや半導体メモリーを用いて構成され、設定部３２によって書き込まれる設定情報を記憶する。
【００２３】
無線通信部３４は、記憶部３３に記憶される設定情報を読み出し、同じＳＳＩＤを有する他の通信装置（プロジェクター１）とアドホック接続によって無線通信する。
画像信号生成部３５は、プロジェクター１に対して送信する画像信号を生成し、無線通信部３４に出力する。
【００２４】
図５は、プロジェクター１の動作、すなわち通信システム１００においてＳＳＩＤを発行する装置の動作を表すフローチャートである。以下、プロジェクター１の動作について説明する。まず、設定部１３が、装着部１５に所定のＵＳＢメモリー２が接続されたか否か判定する（ステップＳ１００）。この判断は、具体的には、ＵＳＢメモリー２内に特定のフォルダ構成が存在するか否かにより行われる。例えば、設定部１３は、システム領域２３１に「ｓｙｓｔｅｍ」フォルダがあり、その下位に「ＧＵＩＤ」フォルダがある場合には、装着部１５に接続されたＵＳＢメモリー２がネットワーク設定用の所定のＵＳＢメモリーであると判定する。なお、コンピューター３の設定部３２も、プロジェクター１の設定部１３と同様の処理によって、所定のＵＳＢメモリー２が接続されたか否か判定する。
【００２５】
接続されたＵＳＢメモリーが所定のＵＳＢメモリーではない場合（ステップＳ１００−ＮＯ）、ＳＳＩＤが発行されることなく図５の処理は終了する。接続されたＵＳＢメモリーが所定のＵＳＢメモリー２である場合（ステップＳ１００−ＹＥＳ）、設定部１３がＳＳＩＤをランダムに生成する（ステップＳ１０１）。次に、無線通信部１４が周囲の他の通信装置が無線通信に使用しているＳＳＩＤ（以下「周囲ＳＳＩＤ」という）を検出する（ステップＳ１０２）。次に、設定部１３が、ステップＳ１０１において生成されたＳＳＩＤ（以下「生成ＳＳＩＤ」という）と、検出された周囲ＳＳＩＤとが一致するか否か判定する（ステップＳ１０３）。周囲ＳＳＩＤの中に一つでも生成ＳＳＩＤと同じＳＳＩＤが含まれている場合（ステップＳ１０３−ＮＯ）、設定部１３は生成ＳＳＩＤを破棄し、周囲ＳＳＩＤと全く重複しない生成ＳＳＩＤが得られるまでステップ１０１及びステップＳ１０２の処理が繰り返し実行される。
【００２６】
周囲ＳＳＩＤと全く重複しない生成ＳＳＩＤが得られた場合（ステップＳ１０３−ＹＥＳ）、設定部１３は、予め記憶部１２に記憶されているＳＳＩＤを、設定情報が記憶される記憶領域とは異なる記憶領域にバックアップ用のＳＳＩＤとして記憶部１２に記憶させる（ステップＳ１０４）。次に、設定部１３が装着部１５を介して生成ＳＳＩＤをＵＳＢメモリー２に書き込む（ステップＳ１０５）。次に、設定部１３が、記憶部１２の設定情報が記憶される記憶領域に生成ＳＳＩＤを書き込み、無線通信部１４が新たに設定されたＳＳＩＤ（即ち生成ＳＳＩＤ）を用いてアドホック通信を開始する（ステップＳ１０６）。
【００２７】
このとき、生成ＳＳＩＤが書き込まれたＵＳＢメモリー２から生成ＳＳＩＤを読み出したコンピューター３が生成ＳＳＩＤを用いてアドホック接続による無線通信を開始していた場合、プロジェクター１とコンピューター３とがアドホック接続により無線通信を開始する。そして、アドホック接続による無線通信が終了すると（ステップＳ１０７−ＹＥＳ）、設定部１３は、ステップＳ１０５において、記憶部１２の設定情報が記憶される記憶領域に書き込まれているＳＳＩＤ（すなわち生成ＳＳＩＤ）を削除し、ステップＳ１０４においてバックアップされていたＳＳＩＤを読み出す。そして、設定部１３は、バックアップされていたＳＳＩＤを、記憶部１２の設定情報が記憶される記憶領域に書き込むことによって設定情報を元に戻す（ステップＳ１０８）。
【００２８】
このように構成された通信システム１００では、プロジェクター１の設定部１３によって、周囲の他の通信装置が既に使用しているＳＳＩＤとは重複しないＳＳＩＤが生成される。そのため、このＳＳＩＤをプロジェクター１及びコンピューター３において用いることによって、所望の装置同士（この場合はプロジェクター１及びコンピューター３）でＳＳＩＤを用いたアドホック接続による無線通信を実現させることが容易に可能となる。
【００２９】
また、ユーザーは、ネットワーク設定用の所定のＵＳＢメモリー２をプロジェクター１（ＳＳＩＤの発行元）に差し込み、その後にコンピューター３（ＳＳＩＤの発行先）へ差し込むだけで、それぞれの装置間でＳＳＩＤが共有される。そのため、ユーザーは容易にネットワークの設定（特にＳＳＩＤの設定）を行うことが可能となる。
【００３０】
また、ステップＳ１０８の処理の後、プロジェクター１に設定されているＳＳＩＤは元の値に戻っている。そのため、プロジェクター１は、ユーザーによるＳＳＩＤの書き換えが行われなくとも、図５に示されたコンピューター３との無線通信処理の後は予め設定されていたＳＳＩＤを用いた無線通信を行うことが可能となる。
【００３１】
＜変形例＞
通信システム１００の各装置が通信する際に用いる通信方式はアドホック接続には限られない。例えば、通信システム１００にIEEE 802.11シリーズの無線ＬＡＮにおけるアクセスポイントが通信装置として含まれ、プロジェクター１やコンピューター３がＳＳＩＤの共通するアクセスポイントと無線通信を行うように構成されても良い。この場合、プロジェクター１に代わって無線ＬＡＮにおけるアクセスポイントがＳＳＩＤを発行しＵＳＢメモリー２に書き込む。そして、ＵＳＢメモリー２からＳＳＩＤを読み出すことによって、プロジェクター１やコンピューター３がアクセスポイントと無線通信を行う。この場合、ネットワーク識別情報はＳＳＩＤに限られず、通信システム１００に適用される通信方式に応じたネットワーク識別情報が適用される。
【００３２】
また、通信システム１００に含まれる装置は、プロジェクター１やコンピューター３に限られず、ＳＳＩＤ等の共通するネットワーク識別子を有する装置間で無線通信を行うことができる通信装置であればどのような通信装置が用いられても良い。例えば、プロジェクター１やコンピューター３に代えて、プリンターや、携帯電話機や、ＰＤＡ（Personal Digital Assistants）等の通信装置によって通信システム１００が構成されても良い。
【００３３】
また、通信システム１００において、複数の通信装置に接続される記録媒体は、ＵＳＢメモリーに限られず、通信装置に対して着脱可能な記録媒体であればどのような記録媒体が用いられても良い。
【００３４】
以上、この発明の実施形態について図面を参照して詳述してきたが、具体的な構成はこの実施形態に限られるものではなく、この発明の要旨を逸脱しない範囲の設計等も含まれる。
【符号の説明】
【００３５】
１…プロジェクター（第一通信装置），  １１…投影部，  １２…記憶部，  １３…設定部（発行部、書込部），  １４…無線通信部（第一送受信部），  １５…装着部（第一装着部），  ２…ＵＳＢメモリー（記録媒体），  ２１…被装着部，  ２２…読書部，  ２３…記憶部，  ３…コンピューター（第二通信装置），  ３１…装着部（第二装着部），  ３２…設定部（読出部），  ３３…記憶部，  ３４…無線通信部（第二送受信部），  ３５…画像信号生成部
【図１】
2010213088.tif 000003
【図２】
2010213088.tif 000004
【図３】
2010213088.tif 000005
【図４】
2010213088.tif 000006
【図５】
2010213088.tif 000007